(57)【要約】【課題】記憶媒体の書込容量以上のデータ量を有するデータを記憶媒体に分割して格納するとともに、所望する分割位置においてデータを分割することができる映像処理装置を提供する。【解決手段】映像処理装置は、データを一時的に格納するメモリと、外部記録媒体にデータを書き込む記録媒体書込部と、記憶部の複数の映像データから選択された映像データの管理情報を読み出してメモリに書き込んで合計データ量を算出し、合計データ量が外部記録媒体の書込容量より多い場合は、書込容量に基づいて分割位置を決定し、分割位置において選択された映像データを分割するとともに、分割位置を提示する制御部とを有する。【選択図】図２
2009277269.tif 000002
【特許請求の範囲】
【請求項１】
データを一時的に格納するメモリと、
外部記録媒体にデータを書き込む記録媒体書込部と、
記憶部の複数の映像データから選択された映像データの管理情報を読み出して前記メモリに書き込んで合計データ量を算出し、前記合計データ量が前記外部記録媒体の書込容量より多い場合は、前記書込容量に基づいて分割位置を決定し、前記分割位置において前記選択された映像データを分割するとともに、前記分割位置を提示する制御部とを有することを特徴とする映像処理装置。
【請求項２】
データを一時的に格納するメモリと、
外部記録媒体にデータを書き込む記録媒体書込部と、
記憶部の複数の映像データから選択された映像データの管理情報を読み出して前記メモリに書き込んで合計データ量を算出し、前記合計データ量が前記外部記録媒体の書込容量より多い場合であって、前記映像データの前記管理情報の管理情報項目が分割内容として選択された場合は、前記書込容量以下の前記分割内容に一致する分割位置において前記選択された映像データを分割するとともに、前記分割位置を提示する制御部とを有することを特徴とする映像処理装置。
【請求項３】
データを一時的に格納するメモリと、
外部記録媒体にデータを書き込む記録媒体書込部と、
記憶部の複数の映像データから選択された映像データの管理情報を読み出して前記メモリに書き込んで合計データ量を算出し、前記合計データ量が前記外部記録媒体の書込容量より多い場合であって、前記映像データの前記管理情報の管理情報項目が分割内容として選択された場合は、前記書込容量以下の前記分割内容に一致する１つ以上の分割位置を取得し、取得した前記分割位置から選択された分割位置において前記選択された映像データを分割するとともに、前記分割位置を提示する制御部とを有することを特徴とする映像処理装置。
【請求項４】
前記制御部は、前記提示された分割位置において分割された前記映像データをそれぞれ複数の前記外部記録媒体に書き込むことを特徴とする請求項１〜３のいずれか１項に記載の映像処理装置。
【請求項５】
前記制御部は、前記記憶部として外部の記憶部から前記選択された映像データの管理情報を読み出して前記メモリに書き込むことを特徴とする請求項１〜３のいずれか１項に記載の映像処理装置。
【請求項６】
前記制御部は、前記記録部として内部に格納された記憶部から前記選択された映像データの管理情報を読み出して前記メモリに書き込むことを特徴とする請求項１〜３のいずれか１項に記載の映像処理装置。
【発明の詳細な説明】
【技術分野】
【０００１】
本発明は、映像処理装置に関する。
【背景技術】
【０００２】
従来の技術として、１つのデータを当該データのデータ量より容量の小さい記録媒体にコピーする際に、自動的にデータを分割して分割データを生成して分割コピーする映像処理装置がある（例えば、特許文献１参照）。
【０００３】
この映像処理装置は、データを格納する記憶部と、記録媒体にデータを書き込み可能な書込部と、記録媒体に書き込みを所望する１つのデータのデータ量が記録媒体の容量より大きく、記録媒体に全てコピーすることができないとき、データを記録媒体に格納可能なデータ量以下に分割して分割データを生成する制御部とを有するため、記録媒体に格納できないデータ量を有するデータであっても、記録媒体を複数用意することでデータをコピーすることができる。
【特許文献１】特開２００５−１８２９３１号公報
【発明の開示】
【発明が解決しようとする課題】
【０００４】
しかし、従来の映像処理装置によると、データを記録媒体に格納可能なデータ量に分割したとしても、データが記録媒体に書き込まれるまで利用者は分割位置を確認することができないため、データのデータ量と記録媒体の書込容量によっては、利用者の意図しない分割位置においてデータが分割されてしまうという問題があり、記録媒体ごとに格納されたデータの管理性は良いとはいえない。
【０００５】
従って、本発明の目的は、記憶媒体の書込容量以上のデータ量を有するデータを記憶媒体に分割して格納するとともに、所望する分割位置においてデータを分割することができる映像処理装置を提供することにある。
【課題を解決するための手段】
【０００６】
（１）本発明は上記目的を達成するため、データを一時的に格納するメモリと、外部記録媒体にデータを書き込む記録媒体書込部と、記憶部の複数の映像データから選択された映像データの管理情報を読み出して前記メモリに書き込んで合計データ量を算出し、前記合計データ量が前記外部記録媒体の書込容量より多い場合は、前記書込容量に基づいて分割位置を決定し、前記分割位置において前記選択された映像データを分割するとともに、前記分割位置を提示する制御部とを有することを特徴とする映像処理装を提供する。
【０００７】
上記した構成によれば、選択された映像データのデータ量が書込対象の容量より大きい場合、映像データを外部記録媒体の容量に基づいて分割し、分割位置を提示するため、分割位置が利用者の所望する分割位置でない場合には、映像データの選択内容を変更することで分割位置を所望する位置へ変更する等の対応が可能となる。
【０００８】
（２）また、本発明は上記目的を達成するため、データを一時的に格納するメモリと、外部記録媒体にデータを書き込む記録媒体書込部と、記憶部の複数の映像データから選択された映像データの管理情報を読み出して前記メモリに書き込んで合計データ量を算出し、前記合計データ量が前記外部記録媒体の書込容量より多い場合であって、前記映像データの前記管理情報の管理情報項目が分割内容として選択された場合は、前記書込容量以下の前記分割内容に一致する分割位置において前記選択された映像データを分割するとともに、前記分割位置を提示する制御部とを有することを特徴とする映像処理装置を提供する。
【０００９】
上記した構成によれば、（１）の効果に加え、映像データを分割内容に基づいて分割し、分割位置を提示するため、利用者の所望する分割位置に変更することができる。
【００１０】
（３）また、本発明は上記目的を達成するため、データを一時的に格納するメモリと、外部記録媒体にデータを書き込む記録媒体書込部と、記憶部の複数の映像データから選択された映像データの管理情報を読み出して前記メモリに書き込んで合計データ量を算出し、前記合計データ量が前記外部記録媒体の書込容量より多い場合であって、前記映像データの前記管理情報の管理情報項目が分割内容として選択された場合は、前記書込容量以下の前記分割内容に一致する１つ以上の分割位置を取得し、取得した前記分割位置から選択された分割位置において前記選択された映像データを分割するとともに、前記分割位置を提示する制御部とを有することを特徴とする映像処理装置を提供する。
【００１１】
上記した構成によれば、（２）の効果に加え、選択された映像データを分割内容に基づいて分割する分割位置の候補を表示し、分割位置の候補から選択されたものを分割位置として映像データを分割するため、利用者の所望する分割位置に変更することができる。
【発明の効果】
【００１２】
本発明によれば、記憶媒体の書込容量以上のデータ量を有するデータを記憶媒体に分割して格納するとともに、所望する分割位置においてデータを分割することができる。
【発明を実施するための最良の形態】
【００１３】
以下に、本発明の映像処理装置の実施の形態を、図面を参照して詳細に説明する。
【００１４】
〔第１の実施の形態〕
（映像処理装置の構成）
図１は、本発明の第１の実施の形態に係る映像処理装置を示す斜視図である。
【００１５】
映像処理装置１は、映像記録装置２とＵＳＢ（Ｕｎｉｖｅｒｓａｌ  Ｓｅｒｉａｌ  Ｂｕｓ）ケーブル２Ａによって接続されて互いに通信し、映像記録装置２によって撮影された映像情報を受信して、例えば、光学メディア３に記録することが可能である。
【００１６】
映像処理装置１は、上部筐体１Ａと下部筐体１Ｂから構成され、上部筐体１Ａが下部筐体１Ｂに対してヒンジにより開閉自在に接続されている。上部筐体１Ａは、文字や画像等を表示する液晶表示パネル等からなる表示部１６を有する。下部筐体１Ｂは、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を内部に収容しており、ＤＶＤ（Ｄｉｇｉｔａｌ  Ｖｅｒｓａｔｉｌｅ  Ｄｉｓｃ）等の記録媒体である光学メディア３に対する読み出しおよび書き込みが可能な光学メディアドライブ１４と、ＵＳＢ（Ｕｎｉｖｅｒｓａｌ  Ｓｅｒｉａｌ  Ｂｕｓ）ケーブル２Ａを介して外部機器と接続されるＵＳＢ端子１０と、文字やコマンドを入力するためのキーボードとポインティングデバイスとからなる操作部１５を上面に有する。
【００１７】
映像記録装置２は、複数のレンズ群よりなる光学系とＣＣＤ（Ｃｈａｒｇｅ  Ｃｏｕｐｌｅｄ  Ｄｅｖｉｃｅ）等の撮像素子とから構成される撮像部２１と、ＵＳＢケーブル２Ａを介して外部機器と接続されるＵＳＢ端子２２とを有し、本体内部に設けられた記憶部に撮影により得られた映像データを記録する。映像データは、例えば、ＤＶＤ−Ｖｉｄｅｏ、ＭＰＥＧ−４、Ｈ．２６４等のフォーマットに準拠して記録される。なお、映像記録装置２の他、メモリカードやＤＶＤ等のリムーバブルメディアに記録された映像データを映像処理装置１によって扱う構成にしてもよい。
【００１８】
図２は、本発明の第１の実施の形態に係る映像処理装置の構成を示すブロック図である。
【００１９】
映像処理装置１は、挿入されたＵＳＢケーブル２Ａを介して映像記録装置２との間でデータを送受信するＵＳＢ端子１０と、情報を一時的に記憶して各部の処理を補助するメモリ１１と、情報を読み書き可能に格納するＨＤＤ等の記憶部１２と、各部の動作を制御するとともにプログラムを動作させる制御部１３と、ＤＶＤ等の光学メディアに対して情報の読み出しおよび書き込み可能な光学メディアドライブ１４と、それぞれ操作機能を割り当てられた複数のスイッチ群より構成されたキーボードおよびトラックパッドを含む操作部１５と、ＬＣＤ（Ｌｉｑｕｉｄ  Ｃｒｙｓｔａｌ  Ｄｉｓｐｌａｙ）等の液晶表示パネル上に文字や画像を表示する表示部１６とを有する。
【００２０】
ＵＳＢ端子１０は、接続された映像記録装置２の記憶部に格納された映像データ２０を受信する。
【００２１】
メモリ１１は、記憶部１２の映像データ１２０、又は映像記録装置２の映像データ２０に含まれる管理情報であって映像データ１２０、又は映像データ２０に含まれるコンテンツの内容を示す映像データ管理情報１１０Ａと、映像データ１２０、又は映像データ２０から選択された書込選択映像データ１２０Ａに含まれる管理情報であって書込選択映像データ１２０Ａに含まれるコンテンツの内容を示す書込選択映像データ管理情報１１０Ｂと、書込選択映像データ１２０Ａを分割したデータの管理情報である分割映像データ管理情報１１０Ｃとを一時的に格納する。なお、映像データ１２０及び映像データ２０は、格納場所が異なるが、データ構成及びデータの取扱動作は共通であるので、以下において、代表して映像データ１２０を用いて説明する。
【００２２】
記憶部１２は、映像記録装置２の映像データ２０からコピーした映像データ、又は映像処理装置１内において記録した映像データである映像データ１２０と、映像データ１２０から利用者によって選択された映像データである書込選択映像データ１２０Ａと、書込選択映像データ１２０Ａを分割して生成したデータである映像データ３０Ａ及び３０Ｂとを格納する。
【００２３】
制御部１３は、メモリ１１に一時的に格納された分割映像データ管理情報１１０Ｃに基づいて記憶部１２に映像データ３０Ａ及び３０Ｂを生成し、それらを、光学メディアドライブ１４を介して、光学メディア３Ａ及び３Ｂに対して分割して書き込む映像データ書込プログラム１３０を動作させる。
【００２４】
光学メディアドライブ１４は、挿入された光学メディア３Ａ及び３Ｂに対して書込選択映像データ１２０Ａを映像データ３０Ａ及び３０Ｂとして分割して書き込む。なお、光学メディア３Ａ及び３Ｂをそれぞれ１枚ずつ挿入する構成であってもよいし、光学メディア３Ａ及び３Ｂを同時に挿入可能な構成にしてもよい。
【００２５】
（映像データの構成）
図３は、本発明の第１の実施の形態に係る映像データを示す概略図であり、（ａ）は、映像データ１２０であり、（ｂ）は、書込選択映像データ１２０Ａであり、（ｃ）は、映像データ３０Ａ及び３０Ｂである。
【００２６】
映像データ１２０は、記憶部１２に格納され、複数のコンテンツ１２０ａ〜１２０ｂを有している。書込選択映像データ１２０Ａは、映像データ１２０の一部であり、映像データ１２０から利用者によって選択されたコンテンツ、例えば、コンテンツ１２０ｂ、１２０ｆ、１２０ａを有する。映像データ３０Ａは、書込選択映像データ１２０Ａを分割した一方の映像データであり、ＮＡのデータ量を有し、映像データ３０Ｂは、書込選択映像データ１２０Ａを分割した他方の映像データであり、ＮＢのデータ量を有する。なお、ＮＡ及びＮＢは、映像データ書込プログラム１３０によって決定されるデータ量であり、決定方法の詳細は後述する。
【００２７】
（映像データ書込プログラムの画面構成）
図４は、本発明の第１の実施の形態に係る映像データ書込プログラムの表示する映像データ書込画面の一例を示す概略図である。
【００２８】
映像データ書込画面１６０Ａは、映像データ書込プログラム１３０によって表示され、映像記録装置２内の映像データ２０又は記憶部１２内の映像データ１２０から映像データ管理情報１１０Ａを取得してコンテンツ内容を一覧表示する入力デバイス内容表示部１６１と、入力デバイス内容表示部１６１において書込選択映像データ１２０Ａとして選択されたコンテンツの内容を書込選択映像データ管理情報１１０Ｂを取得して表示する書込選択映像データ表示部１６２と、書込選択映像データ表示部１６２において表示された書込選択映像データ１２０Ａとしてのコンテンツとコンテンツ格納先としての光学メディア３Ａ及び３Ｂとの対応関係を表示する書込内容表示部１６３と、選択された出力デバイスを表示する出力デバイス内容表示部１６４と、映像データ書込画面１６０Ａにおける表示内容に基づいて光学メディア３Ａ及び３Ｂに書き込みを開始するための書き込みボタン１６５とを有する。
【００２９】
入力デバイス内容表示部１６１は、映像データ２０又は映像データ１２０の詳細情報、例えば、コンテンツ名、撮影日時、及びタイトル数等を表示する。また、入力デバイス内容表示部１６１は、入力デバイスとして映像記録装置２、記憶部１２以外の記憶デバイスが接続されている場合は、その内容を表示する。
【００３０】
書込選択映像データ表示部１６２は、書込選択映像データ１２０Ａの詳細情報、例えば、コンテンツ名、撮影日時、タイトル数、合計時間、合計データ量等を表示する。なお、図示していないが、それぞれのコンテンツをサムネイル表示してもよい。
【００３１】
書込内容表示部１６３は、図面水平方向を時間軸として、書込選択映像データ１２０Ａに含まれるコンテンツ１６３ａ〜１６３ｃと、光学メディア３Ａ及び３ＢとしてのＤＶＤ１６３ｄ及び１６３ｅとを表示する。また、コンテンツ１６３ｃにおいては、ＤＶＤ１６３ｄとＤＶＤ１６３ｅとの分割位置１６３ｆをコンテンツ１６３ｃの再生時刻とともに表示する。
【００３２】
出力デバイス内容表示部１６４は、光学メディアドライブ１４としてのＤＶＤドライブ以外の出力デバイスが接続されている場合は、その候補を選択可能とする。
【００３３】
書き込みボタン１６５は、映像データ書込画面１６０Ａにおいて必要な設定がすべて完了し、光学メディア３Ａ又は３Ｂが光学メディアドライブ１４に挿入された時点で操作可能となる。
【００３４】
（動作）
以下に、本発明の実施の形態における映像処理装置の動作を各図を参照しつつ説明する。
【００３５】
図５は、本発明の第１の実施の形態に係る映像処理装置の動作例を示す概略図である。
【００３６】
映像データ書込プログラム１３０は、光学メディア３Ａ及び３Ｂが４．７ＧＢの書込容量を有するＤＶＤである場合、１枚目の光学メディア３Ａに書込容量の最大値である４．７ＧＢのデータ量を有する映像データ３０Ａを書き込む。また、２枚目の光学メディア３Ｂに残りの０．５ＧＢのデータ量を有する映像データ３０Ｂを書き込む。そのため、コンテンツ１２０ａは、コンテンツ１２０ｂ及び１２０ｆを含めたデータ量が４．７ＧＢである分割位置１において分割される。
【００３７】
図６は、本発明の第１の実施の形態に係る映像処理装置の動作例を示すフローチャートである。
【００３８】
まず、映像データ書込プログラム１３０は、書込選択映像データ表示部１６２において選択された書込選択映像データ１２０Ａのデータ量を書込選択映像データ管理情報１１０Ｂから計算する（Ｓ１）。次に、出力デバイス内容表示部１６４において選択された書込対象、光学メディア３Ａ及び３Ｂの１枚分の容量を取得する（Ｓ２）。
【００３９】
次に、映像データ書込プログラム１３０は、書込選択映像データ１２０Ａのデータ量と、書込対象である光学メディア３Ａ及び３Ｂの１枚分の容量とを比較して、書込選択映像データ１２０Ａのデータ量の方が大きい場合（Ｓ３；Ｙｅｓ）、書込対象である光学メディア３Ａ及び３Ｂの１枚分の容量、例えば、４．７ＧＢごとに書込選択映像データ１２０Ａを分割するために分割映像データ管理情報１１０Ｃを生成する（Ｓ４）。次に、分割されたデータ量上の位置を示す分割位置１６３ｆを分割映像データ管理情報１１０Ｃから取得して書込内容表示部１６３に表示する（Ｓ５）。
【００４０】
また、ステップＳ３において、書込選択映像データ１２０Ａのデータ量の方が小さい場合（Ｓ３；Ｎｏ）、書込選択映像データ１２０Ａを分割せずにステップＳ６へと進む。
【００４１】
次に、映像データ書込プログラム１３０は、書き込みボタン１６５を操作されることで書込指示を受け付けると（Ｓ６；Ｙｅｓ）、書込選択映像データ１２０Ａが分割されている場合には、分割映像データ管理情報１１０Ｃに基づいて映像データ３０Ａ及び３０Ｂをイメージとして記憶部１２に生成して光学メディアドライブ１４を介して映像データ３０Ａ及び３０Ｂをそれぞれ光学メディア３Ａ及び３Ｂに対して書き込む（Ｓ７）。また、書込選択映像データ１２０Ａが分割されていない場合には、光学メディアドライブ１４を介して書込選択映像データ１２０Ａを分割せずにそのまま書き込む。次に、映像データ書込プログラム１３０を終了する（Ｓ８）。
【００４２】
また、ステップＳ６において、書込指示がないまま映像データ書込プログラム１３０が終了された場合（Ｓ６；Ｎｏ）、動作を終了する（Ｓ８）。
【００４３】
（第１の実施の形態の効果）
上記した第１の実施の形態によると、映像データ書込プログラム１３０は、書込選択映像データ１２０Ａのデータ量が書込対象の容量より大きい場合、書込選択映像データ１２０Ａを書込対象の容量に基づいて分割し、書込内容表示部１６３において分割位置１６３ｆを提示するため、分割位置１６３ｆが利用者の所望する分割位置でない場合には、書込選択映像データ１２０Ａの選択内容を変更することで分割位置を所望する位置へ変更する等の対応が可能となる。
【００４４】
なお、書込選択映像データ１２０Ａの分割数を２つで説明したが、３つ以上に分割しても同様に本発明を適用することができる。また、映像データに限らず、本発明を適用することができ、データ種類が混在している場合にも適用することができる。
【００４５】
〔第２の実施の形態〕
図７は、本発明の第２の実施の形態に係る映像データ書込プログラムの表示する映像データ書込画面の一例を示す概略図である。なお、以下の説明において、第１の実施の形態と同一の構成および機能を有する部分については共通の符号を付している。
【００４６】
映像データ書込画面１６０Ｂは、第１の実施の形態において説明した映像データ書込画面１６０Ａの構成に加えて、分割内容表示部１６６を有する。分割内容表示部１６６は、書込選択映像データ１２０Ａの分割位置を決定するための分割内容を表示し、分割内容は、例えば、日付、タイトル、チャプター等、複数種類の中から選択プルダウンメニュー等により決定することができる。
【００４７】
（動作）
図８は、本発明の第２の実施の形態に係る映像処理装置の動作例を示す概略図である。
【００４８】
映像データ書込プログラム１３０は、光学メディア３Ａ及び３Ｂが４．７ＧＢの書込容量を有するＤＶＤである場合、１枚目の光学メディア３Ａに書込容量の最大値である４．７ＧＢの容量を超えない映像データ３０Ａを書き込むが、映像データ３０Ａのデータ量を決定する分割位置は、分割内容表示部１６６において選択された分割内容に基づいて変化する。
【００４９】
例えば、分割内容表示部１６６において「日付」が選択された場合、映像データ書込プログラム１３０は、各コンテンツの日付を比較し、光学メディア３Ａの書込容量に最も近い日付の境界を検出して分割位置２（３．２ＧＢ）を決定する。
【００５０】
また、例えば、分割内容表示部１６６において「タイトル」が選択された場合、映像データ書込プログラム１３０は、各コンテンツのタイトル開始位置を比較し、光学メディア３Ａの書込容量に最も近いタイトル開始位置を検出して分割位置３（４．４ＧＢ）を決定する。
【００５１】
また、例えば、分割内容表示部１６６において「チャプタ」が選択された場合、映像データ書込プログラム１３０は、各コンテンツのチャプタ開始位置を比較し、光学メディア３Ａの書込容量に最も近いチャプタ開始位置を検出して分割位置４（４．６ＧＢ）を決定する。
【００５２】
なお、２枚目の光学メディア３Ｂは、残りのデータ量を有する映像データ３０Ｂを書き込む。
【００５３】
図９は、本発明の第２の実施の形態に係る映像処理装置の動作例を示すフローチャートである。
【００５４】
まず、映像データ書込プログラム１３０は、書込選択映像データ表示部１６２において選択された書込選択映像データ１２０Ａのデータ量を書込選択映像データ管理情報１１０Ｂから計算する（Ｓ１１）。次に、出力デバイス内容表示部１６４において選択された書込対象、光学メディア３Ａ及び３Ｂの１枚分の容量を取得する（Ｓ１２）。
【００５５】
次に、映像データ書込プログラム１３０は、書込選択映像データ１２０Ａのデータ量と、書込対象である光学メディア３Ａ及び３Ｂの１枚分の容量とを比較して、書込選択映像データ１２０Ａのデータ量の方が大きい場合（Ｓ１３；Ｙｅｓ）、分割内容表示部１６６において選択された分割内容に基づいて書込対象の容量以下の最も近い分割位置を検出して書込選択映像データ１２０Ａを分割するために分割映像データ管理情報１１０Ｃを生成する（Ｓ１４）。次に、分割されたデータ量上の位置を示す分割位置１６３ｆを分割映像データ管理情報１１０Ｃから取得して書込内容表示部１６３に表示する（Ｓ１５）。
【００５６】
また、ステップＳ１３において、書込選択映像データ１２０Ａのデータ量の方が小さい場合（Ｓ１３；Ｎｏ）、書込選択映像データ１２０Ａを分割せずにステップＳ１６へと進む。
【００５７】
次に、映像データ書込プログラム１３０は、書き込みボタン１６５を操作されることで書込指示を受け付けると（Ｓ１６；Ｙｅｓ）、書込選択映像データ１２０Ａが分割されている場合には、分割映像データ管理情報１１０Ｃに基づいて映像データ３０Ａ及び３０Ｂをイメージとして記憶部１２に生成して光学メディアドライブ１４を介して映像データ３０Ａ及び３０Ｂをそれぞれ光学メディア３Ａ及び３Ｂに対して書き込む（Ｓ１７）。また、書込選択映像データ１２０Ａが分割されていない場合には、光学メディアドライブ１４を介して書込選択映像データ１２０Ａを分割せずにそのまま書き込む。次に、映像データ書込プログラム１３０を終了する（Ｓ１８）。
【００５８】
また、ステップＳ１６において、書込指示がないまま映像データ書込プログラム１３０が終了された場合（Ｓ１６；Ｎｏ）、動作を終了する（Ｓ１８）。
【００５９】
（第２の実施の形態の効果）
上記した第２の実施の形態によると、第１の実施の形態の効果に加え、映像データ書込プログラム１３０は、書込選択映像データ１２０Ａのデータ量が書込対象の容量より大きい場合、書込選択映像データ１２０Ａを分割内容に基づいて分割し、書込内容表示部１６３において分割位置１６３ｆを提示するため、分割位置１６３ｆを利用者の所望する分割位置に変更することができる。また、書き込みボタン１６５が操作されるまでは記憶部１２に映像データ３０Ａ及び３０Ｂをイメージとして生成しないため、分割内容表示部１６６の選択内容を変更することで分割位置を容易に変更することができる。
【００６０】
〔第３の実施の形態〕
図１０は、本発明の第３の実施の形態に係る映像データ書込プログラムの表示する映像データ書込画面の一例を示す概略図である。
【００６１】
映像データ書込画面１６０Ｃは、第２の実施の形態において説明した映像データ書込画面１６０Ｂの構成に加えて、分割位置選択ボタン１６７を有する。分割位置選択ボタン１６７は、書込選択映像データ１２０Ａの分割位置１６３ｇ又は１６３ｈを選択するための操作ボタンである。また、分割位置１６３ｇ及び１６３ｈは、分割内容表示部１６６において選択された分割内容に基づいて検出された分割位置である。
【００６２】
（動作）
図１１は、本発明の第３の実施の形態に係る映像処理装置の動作例を示す概略図である。
【００６３】
映像データ書込プログラム１３０は、光学メディア３Ａ及び３Ｂが４．７ＧＢの書込容量を有するＤＶＤである場合、１枚目の光学メディア３Ａに書込容量の最大値である４．７ＧＢのデータ量を超えない映像データ３０Ａを書き込むが、映像データ３０Ａのデータ量を決定する分割位置は、分割内容表示部１６６において選択された分割内容に基づいて書込選択映像データ１２０Ａ内に複数検出される。
【００６４】
例えば、分割内容表示部１６６において「日付」が選択された場合、映像データ書込プログラム１３０は、各コンテンツの日付を比較し、日付の境界から分割位置５（３．２ＧＢ）及び分割位置６（１．７ＧＢ）を検出する。
【００６５】
なお、２枚目の光学メディア３Ｂは、残りのデータ量を有する映像データ３０Ｂを書き込む。
【００６６】
図１２は、本発明の第３の実施の形態に係る映像処理装置の動作例を示すフローチャートである。
【００６７】
まず、映像データ書込プログラム１３０は、書込選択映像データ表示部１６２において選択された書込選択映像データ１２０Ａのデータ量を書込選択映像データ管理情報１１０Ｂから計算する（Ｓ２１）。次に、出力デバイス内容表示部１６４において選択された書込対象、光学メディア３Ａ及び３Ｂの１枚分の容量を取得する（Ｓ２２）。
【００６８】
次に、映像データ書込プログラム１３０は、書込選択映像データ１２０Ａのデータ量と、書込対象である光学メディア３Ａ及び３Ｂの１枚分の容量とを比較して、書込選択映像データ１２０Ａのデータ量の方が大きい場合（Ｓ２３；Ｙｅｓ）、分割内容表示部１６６において選択された分割内容に基づいて分割位置の候補を検出する（Ｓ２４）。次に、分割位置の候補のデータ量上の位置を示す分割位置１６３ｇ及び１６３ｈを書込内容表示部１６３に表示する（Ｓ２５）。
【００６９】
次に、分割位置選択ボタン１６７に入力される変更操作に基づき分割位置を変更し（Ｓ２６）、選択された分割位置において書込選択映像データ１２０Ａを分割するために分割映像データ管理情報１１０Ｃを生成する（Ｓ２７）。
【００７０】
また、ステップＳ２３において、書込選択映像データ１２０Ａのデータ量の方が小さい場合（Ｓ２３；Ｎｏ）、書込選択映像データ１２０Ａを分割せずにステップＳ２８へと進む。
【００７１】
次に、映像データ書込プログラム１３０は、書き込みボタン１６５を操作されることで書込指示を受け付けると（Ｓ２８；Ｙｅｓ）、書込選択映像データ１２０Ａが分割されている場合には、、分割映像データ管理情報１１０Ｃに基づいて映像データ３０Ａ及び３０Ｂをイメージとして記憶部１２に生成して光学メディアドライブ１４を介して映像データ３０Ａ及び３０Ｂをそれぞれ光学メディア３Ａ及び３Ｂに対して書き込む（Ｓ２９）。また、書込選択映像データ１２０Ａが分割されていない場合には、光学メディアドライブ１４を介して書込選択映像データ１２０Ａを分割せずにそのまま書き込む。次に、映像データ書込プログラム１３０を終了する（Ｓ３０）。
【００７２】
また、ステップＳ２８において、書込指示がないまま映像データ書込プログラム１３０が終了された場合（Ｓ２８；Ｎｏ）、動作を終了する（Ｓ３０）。
【００７３】
（第３の実施の形態の効果）
上記した第３の実施の形態によると、第２の実施の形態の効果に加え、書込選択映像データ１２０Ａを分割内容に基づいて分割する分割位置の候補を表示し、分割位置の候補から選択されたものを分割位置として映像データを分割するため、利用者の所望する分割位置に変更することができる。また、書き込みボタン１６５が操作されるまでは記憶部１２に映像データ３０Ａ及び３０Ｂをイメージとして生成しないため、分割位置選択ボタン１６７を操作することで分割位置を容易に変更することができる。
【図面の簡単な説明】
【００７４】
【図１】本発明の第１の実施の形態に係る映像処理装置を示す斜視図である。
【図２】本発明の第１の実施の形態に係る映像処理装置の構成を示すブロック図である。
【図３】本発明の第１の実施の形態に係る映像データを示す概略図であり、（ａ）は、映像データ１２０であり、（ｂ）は、書込選択映像データ１２０Ａであり、（ｃ）は、映像データ３０Ａ及び３０Ｂである。
【図４】本発明の第１の実施の形態に係る映像データ書込プログラムの表示する映像データ書込画面の一例を示す概略図である。
【図５】本発明の第１の実施の形態に係る映像処理装置の動作例を示す概略図である。
【図６】本発明の第１の実施の形態に係る映像処理装置の動作例を示すフローチャートである。
【図７】本発明の第２の実施の形態に係る映像データ書込プログラムの表示する映像データ書込画面の一例を示す概略図である。
【図８】本発明の第２の実施の形態に係る映像処理装置の動作例を示す概略図である。
【図９】本発明の第２の実施の形態に係る映像処理装置の動作例を示すフローチャートである。
【図１０】本発明の第３の実施の形態に係る映像データ書込プログラムの表示する映像データ書込画面の一例を示す概略図である。
【図１１】本発明の第３の実施の形態に係る映像処理装置の動作例を示す概略図である。
【図１２】本発明の第３の実施の形態に係る映像処理装置の動作例を示すフローチャートである。
【符号の説明】
【００７５】
１…映像処理装置、１Ａ…上部筐体、１Ｂ…下部筐体、２…映像記録装置、２Ａ…ＵＳＢケーブル、３…光学メディア、３Ａ…光学メディア、３Ｂ…光学メディア、１０…ＵＳＢ端子、１１…メモリ、１２…記憶部、１３…制御部、１４…光学メディアドライブ、１５…操作部、１６…表示部、２０…映像データ、２１…撮像部、２２…ＵＳＢ端子、３０Ａ…映像データ、３０Ｂ…映像データ、１１０Ａ…映像データ管理情報、１１０Ｂ…書込選択映像データ管理情報、１１０Ｃ…分割映像データ管理情報、１２０Ａ…書込選択映像データ、１２０…映像データ、１２０ａ−１２０ｆ…コンテンツ、１３０…映像データ書込プログラム、１６０Ａ−１６０Ｃ…映像データ書込画面、１６１…入力デバイス内容表示部、１６２…書込選択映像データ表示部、１６３…書込内容表示部、１６３ａ−１６３ｃ…コンテンツ、１６３ｄ−１６３ｅ…ＤＶＤ、１６３ｆ−１６３ｈ…分割位置、１６４…出力デバイス内容表示部、１６５…書き込みボタン、１６６…分割内容表示部、１６７…分割位置選択ボタン
【図１】
2009277269.tif 000003
【図２】
2009277269.tif 000004
【図３】
2009277269.tif 000005
【図４】
2009277269.tif 000006
【図５】
2009277269.tif 000007
【図６】
2009277269.tif 000008
【図７】
2009277269.tif 000009
【図８】
2009277269.tif 000010
【図９】
2009277269.tif 000011
【図１０】
2009277269.tif 000012
【図１１】
2009277269.tif 000013
【図１２】
2009277269.tif 000014